(57)【要約】      （修正有）【課題】簡単な構造で、容易に操作することができるソケットカバーおよびこのソケットカバーを用いた照明器具を提供する。【解決手段】照明器具の器具本体１２における取付面１２１には、直管ランプの端部に設けられている口金のピンが接続されるソケットが取り付けられており、このソケットに隣接して、取付面１２１に台座３０が取り付けられる。台座３０には、取付面１２１の面方向および直管ランプの径方向に対して平行な回動軸線ＲＣを中心として、ソケットが露呈する開放位置と、ソケットを覆う第１閉鎖位置との間で回動可能なカバー４０が連結される。第１閉鎖位置から台座３０に対してカバー４０を直管ランプの軸線に沿った方向に付勢して第２閉鎖位置に保持する付勢手段５１と、第２閉鎖位置においてカバー４０が台座３０に対して回動不可能とする係合手段４３と、を有する。これにより、簡単な構造で、容易にカバー４０の開閉操作を行うことができる。【選択図】図２
2014130783.tif 000002
【特許請求の範囲】
【請求項１】
取付面に立設され、直管ランプの端部に設けられた口金のピンが接続されるソケットに隣接して前記取付面に取付可能な台座と、
前記台座に連結されるとともに前記口金が露呈する開放位置と前記ソケットおよび前記口金を覆う第１閉鎖位置との間で、前記取付面の面方向および前記直管ランプの径方向に対して平行な回動軸線を中心として前記台座に対して回動可能なカバーと、
前記第１閉鎖位置から前記台座に対して前記カバーを前記直管ランプの軸線に沿った方向に付勢して第２閉鎖位置に保持する付勢手段と、
前記第２閉鎖位置において前記カバーが前記台座に対して回動不可能とする係合手段と、を備えるソケットカバー。
【請求項２】
請求項１に記載のソケットカバーにおいて、
前記係合手段は、
前記台座に設けられ、前記取付面に面接触する取付板と、
前記取付板に設けられた孔部と、
前記孔部における前記付勢手段の付勢方向下流側を覆う軒部と、
前記カバーに設けられ、前記第１閉鎖位置および前記第２閉鎖位置において前記孔部に収容されるとともに、前記第２閉鎖位置において前記軒部よりも前記取付面側に挿入される爪部と、を備えるソケットカバー。
【請求項３】
請求項２に記載のソケットカバーにおいて、
前記孔部は、前記取付板の縁部に設けられた切欠であり、
前記軒部は、前記取付板の縁部から立ち上がる板部材の下端面であり、
前記爪部は、前記カバーの縁部から内側に突出する突出片であるソケットカバー。
【請求項４】
請求項１または請求項２に記載のソケットカバーにおいて、
前記取付板に設けられ、前記第１閉鎖位置と前記開放位置との間で前記爪部を前記孔部に案内する案内辺を有する案内部材を備え、
前記案内辺は、上部が下部よりも付勢方向上流側に位置するソケットカバー。
【請求項５】
請求項４に記載のソケットカバーにおいて、
前記軒部および前記案内辺が連続しているソケットカバー。
【請求項６】
請求項１ないし請求項５のうちのいずれか１項に記載のソケットカバーにおいて、
前記取付板に設けられ、前記開放位置と前記第１閉鎖位置との間、および前記第１閉鎖位置と前記第２閉鎖位置との間において前記カバーの内面を案内する案内壁部を備えるソケットカバー。
【請求項７】
請求項６に記載のソケットカバーにおいて、
前記案内壁部に設けられた長孔を有し、
前記長孔の内端面が前記案内辺であるソケットカバー。
【請求項８】
請求項１ないし請求項７のうちのいずれか１項に記載のソケットカバーにおいて、
前記カバーは、略半円形状の開口形状が連続する半円筒部と、前記半円筒部に連続する一対の平板部とを有し、前記第１閉鎖位置および第２閉鎖位置において前記直管ランプの軸線に対して前記半円筒部の母線が略平行に配置される略半長円筒形状であり、
前記付勢手段は、所定長さを有するとともに一端が前記台座の台座固定部に固定され、かつ、他端が前記半円筒部の前記母線に沿うカバー固定部に固定され、
前記第１閉鎖位置および前記第２閉鎖位置において、前記台座固定部よりも前記カバー固定部が前記第２閉鎖位置側となるソケットカバー。
【請求項９】
請求項８に記載のソケットカバーにおいて、
前記付勢手段は、
略帯形状の本体部と、
前記本体部に連結され、前記カバーの開口形状に対応した略半長円形状の蓋と、を有するソケットカバー。
【請求項１０】
請求項８に記載のソケットカバーにおいて、
前記付勢手段は、
略帯形状の本体部と、
前記本体部の端部に連結され、前記本体部の長手方向に対して交差するとともに、前記本体部から離れる方向に突出する脚部とを有し、
前記台座固定部は、
前記取付板に設けられた係合壁部と、
前記係合壁部に設けられ、前記係合壁部の厚み方向に沿って突出する一対の突出部とを有し、
前記本体部が前記各突出部間に配置されるとともに、前記脚部が前記各突出部に係合するソケットカバー。
【請求項１１】
請求項１ないし請求項１０のうちのいずれか１項に記載のソケットカバーにおいて、
前記カバーにおける前記付勢手段とは反対側の開口縁に沿って設けられたリブを有するソケットカバー。
【請求項１２】
請求項１ないし請求項７のうちのいずれか１項に記載のソケットカバーにおいて、
前記台座および前記カバーのうちの少なくとも一方が金属板に板金加工を施すことにより形成されているソケットカバー。
【請求項１３】
器具本体と、
前記器具本体に立設され、一対のソケットと、
前記各ソケットに接続される直管ランプと、
前記各ソケットに隣接して設けられるソケットカバーとを備え、
前記各ソケットカバーは、請求項１ないし請求項１２のうちのいずれか１項に記載のソケットカバーである照明器具。
【発明の詳細な説明】
【技術分野】
【０００１】
本発明は、直管ランプの両端のソケットを覆うソケットカバーおよびこのソケットカバーを用いた照明器具に関するものである。
【背景技術】
【０００２】
従来、直管ランプの両端のピンを着脱可能に支持して電力を供給するソケットを覆うことにより、直管ランプのピンがソケットから脱落しても、直管ランプが脱落するのを防止する照明器具が知られている（例えば、特許文献１参照）。
図３２に示すように、特許文献１に記載の照明器具１００は、器具本体１０１に設けられ、直管ランプ（図示省略）の両端を支持して点灯電力を供給するソケット１０２を覆うソケットカバー１０３を有する。
【０００３】
器具本体１０１の端部には、エンドキャップ１０４が取り付けられている。エンドキャップ１０４は、直管ランプの軸方向に沿って、対向する一対の掛止凸部１０５を有しており、一対の掛止凸部１０５には、ソケットカバー１０３が移動可能に取り付けられている。
ソケットカバー１０３は、エンドキャップ１０４に取り付けられて、ソケット１０２を覆うカバー位置と、ソケットカバー１０３を露出させる退避位置との間を移動可能となっている。
【０００４】
しかしながら、ソケットカバー１０３は、退避位置に移動する際には、直管ランプから離れる方向へ移動するため、スペースが必要となる。
このため、照明器具１００を長手方向に連結して用いる際には、隣接する照明器具１００との境界において、直管ランプの光がない暗部が生じるという問題があった。
【０００５】
そこで、このような問題を解決するために、器具本体に取り付けられている取付面の面方向および直管ランプの径方向に対して平行な軸線を中心として、回動可能なソケットカバーが考えられている。
このようなソケットカバーでは、カバーの両側面に設けられた一対のボタンを同時に押すことにより、カバーの係合が解除されて回動可能となる。
【先行技術文献】
【特許文献】
【０００６】
【特許文献１】特開平８−１１１１１０号公報（第４図）
【発明の概要】
【発明が解決しようとする課題】
【０００７】
しかしながら、前述したような回動可能なソケットカバーにおいては、一対のボタンを同時に押すことによりカバーの係合を解除する構造であるため、部品点数が多くなるとともに構造が複雑になり、製造コストが高くなるという問題があった。
また、一対のボタンを同時に押さなければならないため、操作性に問題があった。
【０００８】
本発明は、従来の問題を解決するためになされたもので、簡単な構造で、容易に操作することができるソケットカバーおよびこのソケットカバーを用いた照明器具を提供することを目的とする。
【課題を解決するための手段】
【０００９】
本発明のソケットカバーは、取付面に立設され、直管ランプの端部に設けられた口金のピンが接続されるソケットに隣接して前記取付面に取付可能な台座と、前記台座に連結されるとともに前記口金が露呈する開放位置と前記ソケットおよび前記口金を覆う第１閉鎖位置との間で、前記取付面の面方向および前記直管ランプの径方向に対して平行な回動軸線を中心として前記台座に対して回動可能なカバーと、前記第１閉鎖位置から前記台座に対して前記カバーを前記直管ランプの軸線に沿った方向に付勢して第２閉鎖位置に保持する付勢手段と、前記第２閉鎖位置において前記カバーが前記台座に対して回動不可能とする係合手段と、を備えたものである。
【００１０】
また、本発明のソケットカバーは、前記係合手段は、前記台座に設けられ、前記取付面に面接触する取付板と、前記取付板に設けられた孔部と、前記孔部における前記付勢手段の付勢方向下流側を覆う軒部と、前記カバーに設けられ、前記第１閉鎖位置および前記第２閉鎖位置において前記孔部に収容されるとともに、前記第２閉鎖位置において前記軒部よりも前記取付面側に挿入される爪部と、を備えたものである。
【００１１】
また、本発明のソケットカバーは、前記孔部は、前記取付板の縁部に設けられた切欠であり、前記軒部は、前記取付板の縁部から立ち上がる板部材の下端面であり、前記爪部は、前記カバーの縁部から内側に突出する突出片であるものである。
【００１２】
また、本発明のソケットカバーは、前記取付板に設けられ、前記第１閉鎖位置と前記開放位置との間で前記爪部を前記孔部に案内する案内辺を有する案内部材を備え、前記案内辺は、上部が下部よりも付勢方向上流側に位置するものである。
【００１３】
また、本発明のソケットカバーは、前記軒部および前記案内辺が連続しているものである。
【００１４】
また、本発明のソケットカバーは、前記取付板に設けられ、前記開放位置と前記第１閉鎖位置との間、および前記第１閉鎖位置と前記第２閉鎖位置との間において前記カバーの内面を案内する案内壁部を備えたものである。
【００１５】
また、本発明のソケットカバーは、前記案内壁部に設けられた長孔を有し、前記長孔の内端面が前記案内辺であるものである。
【００１６】
また、本発明のソケットカバーは、前記カバーは、略半円形状の開口形状が連続する半円筒部と、前記半円筒部に連続する一対の平板部とを有し、前記第１閉鎖位置および第２閉鎖位置において前記直管ランプの軸線に対して前記半円筒部の母線が略平行に配置される略半長円筒形状であり、前記付勢手段は、所定長さを有するとともに一端が前記台座の台座固定部に固定され、かつ、他端が前記半円筒部の前記母線に沿うカバー固定部に固定され、前記第１閉鎖位置および前記第２閉鎖位置において、前記台座固定部よりも前記カバー固定部が前記第２閉鎖位置側となるものである。
【００１７】
また、本発明のソケットカバーでは、前記付勢手段は、略帯形状の本体部と、前記本体部に連結され、前記カバーの開口形状に対応した略半長円形状の蓋と、を有するものである。
【００１８】
また、本発明のソケットカバーでは、前記付勢手段は、略帯形状の本体部と、前記本体部の端部に連結され、前記本体部の長手方向に対して交差するとともに、前記本体部から離れる方向に突出する脚部とを有し、前記台座固定部は、前記取付板に設けられた係合壁部と、前記係合壁部に設けられ、前記係合壁部の厚み方向に沿って突出する一対の突出部とを有し、前記本体部が前記各突出部間に配置されるとともに、前記脚部が前記各突出部に係合するものである。
【００１９】
また、本発明のソケットカバーは、前記カバーにおける前記付勢手段とは反対側の開口縁に沿って設けられたリブを有するものである。
【００２０】
また、本発明のソケットカバーは、前記台座および前記カバーのうちの少なくとも一方が金属板に板金加工を施すことにより形成されているものである。
【００２１】
また、本発明の照明器具は、器具本体と、前記器具本体に立設され、一対のソケットと、前記各ソケットに接続される直管ランプと、前記各ソケットに隣接して設けられるソケットカバーとを備え、前記各ソケットカバーは、前述したソケットカバーであるものである。
【発明の効果】
【００２２】
本発明は、口金が露呈する開放位置と、ソケットおよび口金を覆う第１閉鎖位置との間で回動可能なカバーが連結され、カバーを直管ランプの軸線に沿った方向に付勢して第２閉鎖位置に保持する付勢手段と、第２閉鎖位置において回動不可能とする係合手段と、を有する。これにより、簡単な構造で、容易にカバーの開閉操作を行うことができるという効果を有するソケットカバーおよび照明器具を提供できる。
【図面の簡単な説明】
【００２３】
【図１】本発明に係る第１実施形態の照明器具を天井面に取り付けた状態の側面図
【図２】本発明に係る第１実施形態のソケットカバーの開放位置における斜視図
【図３】（Ａ）は本発明に係る第１実施形態のソケットカバーの台座の正面図、（Ｂ）は（Ａ）中Ｂ方向から見た平面図、（Ｃ）は（Ａ）中Ｃ方向から見た底面図、（Ｄ）は（Ａ）中Ｄ方向から見た端面図
【図４】（Ａ）は本発明に係る第１実施形態のソケットカバーのカバーの正面図、（Ｂ）は（Ａ）中Ｂ方向から見た平面図、（Ｃ）は（Ａ）中Ｃ方向から見た底面図、（Ｄ）は（Ａ）中Ｄ方向から見た端面図
【図５】（Ａ）は本発明に係る第１実施形態のソケットカバーの幅方向中央で切断した開放位置の断面図、（Ｂ）は第１閉鎖位置の断面図、（Ｃ）は第２閉鎖位置の断面図
【図６】本発明に係る第１実施形態のソケットカバーの係合手段の変形例を示す斜視図
【図７】本発明に係る第１実施形態のソケットカバーの変形例の開放位置における斜視図
【図８】本発明に係る第２実施形態のソケットカバーの開放位置における斜視図
【図９】（Ａ）は本発明に係る第２実施形態のソケットカバーの台座の平面図、（Ｂ）は（Ａ）中Ｂ−Ｂ位置の断面図
【図１０】（Ａ）は本発明に係る第２実施形態のソケットカバーのカバーを幅方向中央で切断した断面図、（Ｂ）は（Ａ）中Ｂ方向から見た側面図
【図１１】本発明に係る第２実施形態のソケットカバーにおけるカバーの開閉状態を示す断面図
【図１２】本発明に係る第３実施形態のソケットカバーの開放位置における斜視図
【図１３】（Ａ）は台座の平面図、（Ｂ）は（Ａ）中Ｂ方向から見た側面図
【図１４】（Ａ）はカバーの平面図、（Ｂ）は（Ａ）中Ｂ―Ｂ位置の断面図
【図１５】（Ａ）はソケットカバーを幅方向中央で切断した断面図、（Ｂ）は（Ａ）中Ｂ方向から見た平面図、（Ｃ）は（Ａ）中Ｃ方向から見た側面図
【図１６】本発明に係る第３実施形態のソケットカバーにおけるカバーの開閉状態を示す断面図
【図１７】本発明に係る第４実施形態のソケットカバーの開放位置における斜視図
【図１８】（Ａ）は台座の平面図、（Ｂ）は（Ａ）中Ｂ方向から見た側面図
【図１９】（Ａ）はカバーを幅方向中央で切断した断面図、（Ｂ）は（Ａ）中Ｂ方向から見た平面図、（Ｃ）は（Ａ）中Ｃ方向から見た側面図
【図２０】（Ａ）はソケットカバーの平面図、（Ｂ）は（Ａ）中Ｂ―Ｂ位置の断面図
【図２１】本発明に係る第４実施形態のソケットカバーにおけるカバーの開閉状態を示す断面図
【図２２】本発明に係る第５実施形態のソケットカバーの開放位置における斜視図
【図２３】（Ａ）は台座を幅方向中央で切断した断面図、（Ｂ）は（Ａ）中Ｂ方向から見た平面図、（Ｃ）は（Ａ）中Ｃ方向から見た側面図
【図２４】（Ａ）はカバーの正面図、（Ｂ）は（Ａ）中Ｂ方向から見た平面図、（Ｃ）は（Ａ）中Ｃ方向から見た側面図
【図２５】（Ａ）はソケットカバーを幅方向中央で切断した断面図、（Ｂ）は（Ａ）中Ｂ方向から見た平面図、（Ｃ）は（Ａ）中Ｃ方向から見た側面図
【図２６】本発明に係る第５実施形態のソケットカバーにおけるカバーの開閉状態を示す断面図
【図２７】本発明に係る第６実施形態のソケットカバーの開放位置における斜視図
【図２８】（Ａ）は台座を幅方向中央で切断した断面図、（Ｂ）は（Ａ）中Ｂ方向から見た平面図、（Ｃ）は（Ａ）中Ｃ方向から見た側面図
【図２９】（Ａ）はカバーを幅方向中央で切断した断面図、（Ｂ）は（Ａ）中Ｂ方向から見た平面図、（Ｃ）は（Ａ）中Ｃ方向から見た側面図
【図３０】（Ａ）はソケットカバーを幅方向中央で切断した断面図、（Ｂ）は（Ａ）中Ｂ方向から見た平面図、（Ｃ）は（Ａ）中Ｃ方向から見た側面図
【図３１】本発明に係る第６実施形態のソケットカバーにおけるカバーの開閉状態を示す断面図
【図３２】従来のソケットカバーを用いた照明器具の分解斜視図
【発明を実施するための形態】
【００２４】
（第１実施形態）
以下、本発明に係る第１実施形態のソケットカバーおよび照明器具について、図面を用いて説明する。
図１に示すように、本発明に係る実施形態の照明器具１０は、例えば被取付面である天井面１１に取り付けて、下方を照明するのに用いることができる。
なお、以下の説明においては、照射方向を下方（下側）、照射方向の反対方向を上方（上側）と云うこととする。
図１においては、１個の照明器具１０を図示しているが、長手方向に連続して設けて使用することができる。
【００２５】
照明器具１０は、天井面１１に取り付けられる例えば矩形箱状の器具本体１２を有しており、器具本体１２の下面（取付面）１２１における長手方向両端部には、所定間隔で対向するソケット１３が設けられている。
ソケット１３は、直管ランプ１４の口金１５に設けられているピン１６を着脱可能に支持して、点灯電力を供給する。
ソケット１３には、ソケット１３を覆うソケットカバー２０Ａが、開閉可能に設けられている。
なお、以下の説明において、各実施形態のソケットカバーを共通して表示する場合には、「ソケットカバー２０」で示すこととする。
【００２６】
図２に示すように、ソケットカバー２０Ａは、器具本体１２の下面１２１に取付可能な台座３０を有しており、台座３０にはソケット１３を覆うカバー４０が回動可能に取り付けられる。
カバー４０は、ソケット１３や口金１５が露呈する開放位置（図２および図５（Ａ）参照）と、ソケット１３や口金１５を覆う閉鎖位置との間で回動可能となっている。
閉鎖位置は、カバー４０を閉じてソケット１３や口金１５を覆うが係止されておらず回動可能な第１閉鎖位置（図５（Ｂ）参照）と、覆った状態で係止され、回動不可である第２閉鎖位置（図５（Ｃ）参照）とを有する。
【００２７】
図３（Ａ）ないし図３（Ｄ）に示すように、台座３０は、器具本体１２の下面１２１に面接触する全体矩形板状の取付板３１Ａを有しており、中央には器具本体１２に取り付けられているソケット１３が、下方へ突出するための開口部３１１を有する。
取付板３１Ａには、複数の貫通孔３１３が設けられており、ねじ３１４（図２参照）によって器具本体１２の下面１２１に取り付けられる。
取付板３１Ａの左右の縁部３１２には、それぞれ矩形の孔部（係合手段）３２が２個ずつ、合計４個設けられている。孔部３２は、縁部３１２を切欠くことによって設けることができる。
【００２８】
取付板３１Ａの縁部３１２における長手方向端部側は、下方に折曲げられて案内壁部３３が形成されている。ここで、対向する一対の案内壁部３３、３３の外面間距離をＤ１とする。
案内壁部３３は略矩形状を呈しており、孔部３２に連続して斜め下方に向かって平行四辺形の長孔３３１が設けられている。
長孔３３１の長手方向中央側の内端面（案内辺）３５は、上部が下部よりも長手方向端部側（付勢方向上流側）に位置しており、詳細を後述するように、カバー４０の開閉の際にカバー４０を案内する。
長孔３３１の内端面３５の上端には、孔部３２が長手方向中央側に食い込んで設けられており、案内壁部３３の上端に軒部（係合手段）３３２が形成されている。
なお、内端面３５の上端角に、角切部３５１を設けて、軒部３３２にスムーズに連結するのが望ましい。
【００２９】
取付板３１Ａの縁部３１２における長手方向中央側の端部は、下方に折曲げられて案内壁部（板部材）３４が形成されている。案内壁部３４は、孔部３２の長手方向中央側に位置する。
案内壁部３４の上端の長手方向端部側には、孔部３２が長手方向中央側に食い込んで、軒部（係合手段）３４１を形成している。軒部３４１は、案内壁部３４の上端面に位置する。
【００３０】
取付板３１Ａの長手方向端部側の端部には、台座固定部３６が形成されている。
台座固定部３６は、取付板３１Ａを下方に折曲げた係合壁部３６１と、係合壁部３６１の下端部を長手方向中央側に折曲げて係合壁部３６１の厚み方向に沿って突出する一対の突出部３６２と、を有する。
なお、上述した台座３０は、金属板を打ち抜き、折曲げて、板金加工により形成することができる。
【００３１】
図４（Ａ）ないし図４（Ｄ）に示すように、カバー４０は、略半円形状の開口形状が連続する半円筒部４１と、半円筒部４１に連続する一対の平板部４２とを有しており、上方に開口した略半長円筒形状を呈している。
半円筒部４１の下端部には、母線方向に平坦部４１１が所定幅で設けられている。ここで、母線とは、カバー４０の方向を示すものであり、例えば平板部４２の上端面と平行な仮想線とすることができる。
対向する一対の平板部４２、４２の内面間の間隔をＤ２とすると、間隔Ｄ２は台座３０の案内壁部３３、３３の間隔Ｄ１よりも大きく設定されている。
平板部４２の上端部には、内側に突出する４個の爪部（係合手段、突出片）４３が折曲げて形成されている。
各爪部４３は、台座３０の４個の孔部３２（図３（Ｂ）参照）の位置に対応して配置されており、孔部３２の大きさよりも小さく、孔部３２に収容可能となっている。
【００３２】
長手方向中央側の開口４４は開放されている。
長手方向端部側の開口４５には、半長円形状の蓋（付勢手段）５０が取り付けられる。
蓋５０の下端部には、略帯形状の本体部（付勢手段）５１が一体的に設けられており、本体部５１の他端５１１は、カバー４０の半円筒部４１の内面のカバー固定部４６に、例えばスポット溶接等によって接合される。
これにより、蓋５０は、本体部５１を介してカバー４０に取り付けられので、蓋５０は弾性変位可能に支持される。
蓋５０の上端部には、本体部５１から離れる方向（すなわち、長手方向端部側）に突出する脚部（付勢手段、一端）５２が設けられている。脚部５２は、本体部５１の長手方向に対して交差（直交）する方向に突出する一対の張出部５３を有する。
【００３３】
図２に示すように、カバー４０の台座３０に対する取付けは、付勢手段の一端であるカバー４０の脚部５２の張出部５３を、台座３０の係合壁部３６１の突出部３６２により係止することにより行われる。
これにより、張出部５３と突出部３６２との境界にある回動軸線ＲＣを中心として、蓋５０が台座３０に対して回動可能に支持される。
なお、回動軸線ＲＣは、台座３０およびカバー４０に対して定位置にあるものではなく、カバー４０の開閉状態に応じて位置を変化する仮想の軸線である。
【００３４】
蓋５０には本体部５１を介してカバー４０が取り付けられているので、カバー４０は、回動軸線ＲＣを中心として、台座３０に対して回動可能に支持されることになる。
このとき、カバー４０の左右の平板部４２が、台座３０の案内壁部３３、３４の外側に位置し、爪部４３が案内壁部３３の長孔３３１に収容される。
【００３５】
次に、カバー４０の開閉動作について説明する。
まず、図２に示すように、カバー４０の脚部５２の張出部５３を、台座３０の係合壁部３６１の突出部３６２により係止して、カバー４０を台座３０に取り付ける。
これにより、カバー４０は、器具本体１２の下面１２１の面方向および直管ランプ１４の径方向に対して平行な回動軸線ＲＣを中心として、台座３０に対して回動可能に支持される。
このとき、カバー４０は、台座３０の一対の案内壁部３３、３３の外側に配置し、カバー４０の爪部４３を、台座３０の案内壁部３３の長孔３３１に収容する。
【００３６】
図５（Ａ）には、ソケット１３や直管ランプ１４の口金１５等が露出するカバー４０の開放位置（図２参照）が示されている。
開放位置では、カバー４０の脚部５２の張出部５３が、台座３０の係合壁部３６１の突出部３６２により係止されて、カバー４０は重力により垂れ下がる。
このとき、カバー４０の爪部４３は、台座３０の案内壁部３３の長孔３３１に収容されるので、カバー４０は所定の角度以上開かない。
【００３７】
この状態からカバー４０を閉じると（図５（Ａ）中矢印Ａ参照）、カバー４０は、案内壁部３３の外面で案内されて、閉じられる。
このとき、長孔３３１に収容されている爪部４３が、長孔３３１の内端面３５に当接しながら上方へ移動するとともに、蓋５０の脚部５２が台座固定部３６の突出部３６２に係止されているので、カバー４０は回動軸線ＲＣを中心として回動する。
このため、カバー４０は、閉じるとともに図５（Ａ）中右方向（長手方向端部側）へ押されて移動し、付勢手段である蓋５０および本体部５１を矢印Ｂ方向へ弾性変形させながら閉じる。
【００３８】
図５（Ｂ）には、開放位置にあるカバー４０を閉じて、ソケット１３および直管ランプ１４の口金１５覆った状態である第１閉鎖位置が示されている。
この状態では、カバー４０の上端に設けられている４個の爪部４３が、台座３０の取付板３１Ａに設けられている４個の孔部３２に嵌入するが、手を放すとカバー４０は、重力により開放位置に戻る状態である。
なお、この第１閉鎖位置では、台座固定部３６よりもカバー固定部４６が長手方向中央側に位置する。
このとき、カバー４０は、蓋５０および本体部５１の弾性変形により、図５（Ｂ）中左方向（長手方向中央側）へ付勢されているため、第１閉鎖位置に留まることなく、次に説明する第２閉鎖位置に移動する。
【００３９】
図５（Ｃ）には、第１閉鎖位置からカバー４０を長手方向中央側へスライドさせて、ソケット１３および直管ランプ１４の口金１５覆った状態で係合した第２閉鎖位置が示されている。
前述したように、第１閉鎖位置（図５（Ｂ）参照）では、カバー４０は、付勢手段である蓋５０および本体部５１の弾性変形によって長手方向中央側へ付勢されている。
このため、案内壁部３３の長孔３３１に収容されて内端面３５に押し付けられている爪部４３が、長孔３３１の上端面に達すると、付勢力により軒部３３２の上側（取付面側）に押し込まれて係合する。
【００４０】
同時に、カバー４０の長手方向中央側端部の爪部４３が、軒部３４１の上側（取付面側）に押し込まれて係合する。
また、第２閉鎖位置でも、台座固定部３６よりもカバー固定部４６が長手方向中央側に位置しており、係合状態を維持してカバー４０は、閉じた状態で台座３０に保持される。
なお、略半長円筒形状のカバー４０は、第１閉鎖位置および第２閉鎖位置において母線が直管ランプ１４の軸線に対して略平行に配置される。
【００４１】
なお、閉じているカバー４０を開ける際には、カバー４０を右方向（長手方向端部側）へスライドさせて、爪部４３を軒部３３２、３４１から外す。
次いで、カバー４０の左端部（長手方向中央側端部）を下げて、爪部４３を孔部３２から下降させることにより、カバー４０を開けることができる。
【００４２】
本発明に係る第１実施形態のソケットカバー２０Ａの作用効果について説明する。
照明器具１０の器具本体１２の下面１２１には、直管ランプ１４の端部に設けられている口金１５のピン１６が接続されるソケット１３が取り付けられている。
第１実施形態のソケットカバー２０Ａでは、ソケット１３に隣接して、器具本体１２の下面１２１に台座３０が取り付けられる。
台座３０には、下面１２１の面方向および直管ランプ１４の径方向に対して平行な回動軸線ＲＣを中心として、ソケット１３および口金１５が露呈する開放位置と、ソケット１３および口金１５を覆う第１閉鎖位置との間で回動可能なカバー４０が連結される。
さらに、第１閉鎖位置においてカバー４０を直管ランプ１４の軸線に沿った方向に付勢する本体部５１および蓋５０と、第２閉鎖位置においてカバー４０が台座３０に対して回動不可能とする爪部４３および孔部３２とを有する。
これにより、簡単な構造で、容易にカバー４０の開閉操作を行うことができる。
なお、ソケット１３の型式は限定するものではなく、プランジャー式ソケットまたは回転式ソケットが適用可能である。
【００４３】
また、台座３０は、下面１２１に面接触する取付板３１Ａと、取付板３１Ａに設けられた孔部３２と、孔部３２における付勢方向下流側を覆う軒部３３２、３４１を有する。
また、カバー４０には、第１閉鎖位置および第２閉鎖位置において孔部３２に収容されるとともに、第２閉鎖位置において軒部３３２、３４１よりも取付面側に挿入される爪部４３を有する。
このため、第２閉鎖位置においては、爪部４３が孔部３２に収容されて軒部３３２、３４１により係止されるので、簡単な構造でカバー４０を閉じた状態に保持できる。
【００４４】
なお、上述した第１実施形態のソケットカバー２０Ａにおいては、孔部３２が取付板の縁部に設けた切欠の場合を例示した。
このほか、図６に示すように、取付板３１Ａから下方（図６においては上方）に突出するＬ字形状の台座側突起３７を設け、カバー４０の上端面に上方（図６においては下方）にカバー側突起４７を設けても、同様の作用、効果を得ることができる。
【００４５】
また、孔部３２は取付板３１Ａの縁部３１２に設けられた切欠であり、軒部３３２、３４１は取付板３１Ａの縁部３１２から立ち上がる案内壁部３３、３４の下端面であり、爪部４３はカバー４０の縁部から内側に突出する突出片である。
このため、第２閉鎖位置においては、爪部４３が孔部３２に収容されて軒部３３２、３４１により係止されるので、簡単な構造でカバー４０を閉じた状態に保持できる。
【００４６】
また、取付板３１Ａには、第１閉鎖位置と開放位置との間で、爪部４３を孔部３２に案内する内端面３５を有する案内壁部３３設けられている。
内端面３５は、上部が下部よりも付勢方向上流側に位置するので、カバー４０を閉じると、本体部５１等の付勢力により爪部４３を確実に孔部３２の軒部３３２、３４１に案内して第２閉鎖位置に達することができる。
また、爪部４３を軒部３３２、３４１から脱落しにくくすることができる。
なお、上述した第１実施形態のソケットカバー２０Ａにおいては、内端面３５が長孔３３１の内面である場合を例示したが、案内辺である内端面３５は、周囲を囲まれた孔の内面に限らない。内端面３５は、部材の端面であっても良い。
この場合には、上端および下端に、爪部４３の移動範囲を規制するストッパを設ける必要がある。
また、内端面３５は、直線に限らず、曲線形状であっても可能である。
【００４７】
また、軒部３３２、３４１および内端面３５は連続して設けられている。
このため、軒部３３２、３４１および内端面３５を打ち抜き、折曲げにより容易に板金加工できる。
【００４８】
また、取付板３１Ａに、開放位置と第１閉鎖位置との間、および第１閉鎖位置と第２閉鎖位置との間において、カバー４０の内面を案内する案内壁部３３を設けた。
このため、第１閉鎖位置と第２閉鎖位置の間を、円滑に移動することができる。
【００４９】
また、内端面３５が、四方を囲まれた長孔３３１の内面であるため、打ち抜き加工した際に、強度を確保できる。
【００５０】
また、カバー４０は、半円筒部４１と、半円筒部４１に連続する一対の平板部４２とを有する略半長円筒形状を呈しており、半円筒部４１の母線が第１閉鎖位置および第２閉鎖位置において直管ランプ１４の軸線に対して略平行に配置される。
そして、所定長さを有する本体部５１の一端を台座の台座固定部３６に固定し、他端を半円筒部４１の母線に沿うカバー固定部４６に固定した。
このとき、第１閉鎖位置および第２閉鎖位置において、台座固定部３６よりもカバー固定部４６が第２閉鎖位置側となるようにしたので、確実にカバー４０を第２閉鎖位置に向けて付勢することができる。
なお、付勢手段である本体部５１を、帯状である場合を例示したが、棒状でも可能である。
【００５１】
また、付勢手段が、略帯形状の本体部５１と、本体部５１に連結されカバー４０の開口形状に対応した略半長円形状の蓋５０と、を有するので、カバー４０の内部が見えずに外観が良好である。
【００５２】
また、付勢手段として、略帯形状の本体部５１と、本体部５１の端部に連結され本体部５１の長手方向に対して交差するとともに本体部５１から離れる方向に突出する脚部５２とを設けた。
さらに、台座固定部３６には、取付板３１Ａに設けられた係合壁部３６１と、係合壁部３６１に設けられ係合壁部３６１の厚み方向に沿って突出する一対の突出部３６２とを設けた。
そして、本体部５１を各突出部３６２の間に配置するとともに、脚部５２が各突出部３６２に係合するようにしたので、簡単な構造で、確実に係合できる。
【００５３】
また、台座３０およびカバー４０のうちの少なくとも一方が、金属板を打ち抜き、折曲げて板金加工により形成されるので、容易に作成することができる。
また、耐火性にも優れる。
【００５４】
さらに、本発明に係る第１実施形態の照明器具１０は、前述したソケットカバー２０Ａを用いたので、簡単な構造で、容易にカバー４０の開閉操作を行うことができる。
【００５５】
なお、図７に示すように、第１実施形態のソケットカバー２０Ａにおいて、カバー４０の長手方向中央側の開口縁に沿って、リブ４８を設けることも可能である。
リブ４８の高さは、リブ４８の先端が直管ランプ１４の外表面や口金１５に接触しない高さとする。
リブ４８は、カバー４０と一体的に設けることができるが、別個に設けて取り付けることも可能である。
【００５６】
このように、本発明に係る第１実施形態のソケットカバー２０Ａでは、カバー４０における蓋５０とは反対側である長手方向中央側の開口縁に沿ってリブ４８を設けることができる。
これにより、直管ランプ１４とカバー４０との間を狭くすることができ、外観を向上させるとともに、カバー４０内への異物の侵入を防止でき、かつ、カバー４０の強度を向上して操作時のカバー４０の変形を防止できる。
【００５７】
（第２実施形態）
次に、本発明に係る第２実施形態のソケットカバーおよび照明器具について説明する。
なお、前述した第１実施形態に係るソケットカバー２０Ａおよび照明器具１０と共通する部位には同じ符号を付して、重複する説明を省略することとする。
【００５８】
図８および図９（Ａ）に示すように、本発明に係る第２実施形態のソケットカバー２０Ｂ（２０）では、台座３０の取付板３１Ｂの全体形状が、コの字形状を呈しており、ソケット１３を収容する開口部３１５が長手方向中央側に開口している。
図９（Ｂ）に示すように、取付板３１Ｂの左右両側に設けられている案内壁部３３に設けられている長孔３３３は、長手方向端部側の下部に傾斜面３３４が設けられており、長孔３３３が先細りになっている。
また、案内壁部３４の長手方向端部側面は、長孔３３３と同じ側に傾斜した傾斜面３４２が設けられている。
【００５９】
図１０（Ａ）および図１０（Ｂ）に示すように、カバー４０の長手方向端部側の開口４５には、蓋５４が取り付けられる。
蓋５４は、蓋本体５４１と、蓋本体５４１をカバー４０の内面に取り付ける付勢部材である本体部５４２と、脚部５４３とを有する。
本体部５４２は台形状に屈曲されており、長手方向中央側端部がカバー４０のカバー固定部４６に取り付けられ、長手方向端部側の端部には脚部５４３が取り付けられている。また、本体部５４２の中央には、蓋本体５４１がねじ５４４で取り付けられている。
【００６０】
図８および図１１に示すように、カバー４０は、脚部５４３を、台座３０の係合壁部３６１の突出部３６２により係止して、台座３０に取り付けられる。
このとき、カバー４０の爪部４３は、台座３０の案内壁部３３の長孔３３３に収容される。
【００６１】
次に、図１１に基づいて、第２実施形態のソケットカバー２０Ｂの開閉動作について説明する。
図８および図１１には、カバー４０が重力により垂れ下がって、ソケット１３が露出する開放位置が示されている（図５（Ａ）参照）。このとき、カバー４０の爪部４３は、長孔３３３の傾斜面３３４に当接するので、カバー４０は、これ以上開かない。
第１実施形態において説明したようにして、カバー４０を閉じると、第１閉鎖位置に達する（図５（Ｂ）参照）。
そして、本体部５４２の付勢力により、カバー４０が長手方向中央側に押されて第２閉鎖位置に達する（図５（Ｃ）参照）。
なお、閉じているカバー４０を開ける際には、カバー４０を長手方向端部側へスライドさせて第１閉鎖位置に移動させることにより、カバー４０を開けることができる。
【００６２】
このように構成しても、前述した第１実施形態のソケットカバー２０Ａおよび照明器具１０と同様の作用、効果を得ることができる。
【００６３】
（第３実施形態）
次に、本発明に係る第３実施形態のソケットカバーおよび照明器具について説明する。
なお、前述した第１実施形態のソケットカバー２０Ａ、照明器具１０および第２実施形態のソケットカバー２０Ｂと共通する部位には同じ符号を付して、重複する説明を省略することとする。
【００６４】
図１２および図１３（Ａ）に示すように、本発明に係る第３実施形態のソケットカバー２０Ｃ（２０）では、台座３０の取付板３１Ｃの全体形状が、コの字形状を呈しており、ソケット１３を収容する開口部３１５が長手方向中央側に開口している。
図１２および図１３（Ｂ）に示すように、取付板３１Ｃの長手方向端部側の端部は、下方に折曲げられて蓋５５が形成されている。
蓋５５は、上側の矩形部分５５１と、矩形部分５５１から長手方向中央側に折曲げられた半円形状の半円部分５５２を有する。
半円部分５５２には、一定幅の切欠５５３が上下方向に設けられている（図１５（Ｃ）参照）。
【００６５】
図１４（Ａ）および図１４（Ｂ）に示すように、カバー４０の内面の平坦部４１１には、長手方向端部側の端部に一端５６１を取り付けた付勢手段である本体部５６が設けられている。
本体部５６は、略円弧状に上方へ屈曲しており、他端５６２はカバー４０の長手方向端部側の開口４５から突出している。
【００６６】
図１５（Ａ）ないし図１５（Ｃ）に示すように、台座３０にカバー４０を取り付けた状態では、カバー４０の本体部５６の他端５６２が、蓋５５の矩形部分５５１を弾性力により長手方向端部側へ押すため、その反力でカバー４０は長手方向中央側に付勢される。
【００６７】
次に、図１６に基づいて、第３実施形態のソケットカバー２０Ｃの開閉動作について説明する。
図１２には、カバー４０が重力により垂れ下がって、ソケット１３が露出する開放位置が示されている（図５（Ａ）参照）。このとき、カバー４０の爪部４３は、長孔３３３の傾斜面３３４に当接するので、カバー４０は、これ以上開かない。
第１実施形態において説明したようにして、カバー４０を閉じると、第１閉鎖位置に達する（図５（Ｂ）参照）。
そして、本体部５６の付勢力により、カバー４０が長手方向中央側に押されて第２閉鎖位置に達する（図５（Ｃ）参照）。
なお、閉じているカバー４０を開ける際には、カバー４０を長手方向端部側へスライドさせて第１閉鎖位置に移動させることにより、カバー４０を開けることができる。
【００６８】
このように構成しても、前述した第１実施形態のソケットカバー２０Ａおよび照明器具１０および第２実施形態のソケットカバー２０Ｂと同様の作用、効果を得ることができる。
【００６９】
（第４実施形態）
次に、本発明に係る第４実施形態のソケットカバーおよび照明器具について説明する。
なお、前述した第１実施形態のソケットカバー２０Ａおよび照明器具１０ないし第３実施形態のソケットカバー２０Ｃと共通する部位には同じ符号を付して、重複する説明を省略することとする。
【００７０】
図１７、図１８（Ａ）および図１８（Ｂ）に示すように、本発明に係る第４実施形態のソケットカバー２０Ｄ（２０）では、台座３０の取付板３１Ｄの全体形状が、コの字形状を呈しており、ソケット１３を収容する開口部３１５が長手方向中央側に開口している。
【００７１】
図１９（Ａ）ないし図１９（Ｃ）に示すように、カバー４０の長手方向端部側の開口４５（図５（Ａ）参照）には、蓋５７が溶接等により一体的に設けられており、開口４５は塞がれている。
蓋５７は、上側の矩形部分５７１と、下側の半円部分５７２を有する。
矩形部分５７１の内面には、付勢手段である本体部５８の下部５８２が溶接等により取り付けられており、本体部５８の上部５８１は折曲げられて、カバー４０の長手方向端部側に突出している。
本体部５８は、長手方向中央側（図１９（Ａ）中矢印Ａ方向）へ弾性変形可能となっている。
【００７２】
図２０（Ａ）および図２０（Ｂ）に示すように、台座３０にカバー４０を取り付けた状態では、カバー４０の本体部５８の上部５８１が、長手方向中央側に弾性変形した状態で器具本体１２のスリット１２２に挿入される。
このため、カバー４０は、本体部５８の反力により、長手方向中央側に付勢されている。
【００７３】
次に、図２１に基づいて、第４実施形態のソケットカバー２０Ｄの開閉動作について説明する。
図１７には、カバー４０が重力により垂れ下がって、ソケット１３が露出する開放位置が示されている（図５（Ａ）参照）。このとき、カバー４０の爪部４３は、長孔３３３の傾斜面３３４に当接するので、カバー４０は、これ以上開かない。
第１実施形態において説明したようにして、カバー４０を閉じると、第１閉鎖位置に達する（図５（Ｂ）参照）。
そして、本体部５８の付勢力により、カバー４０が長手方向中央側に押されて第２閉鎖位置に達する（図５（Ｃ）参照）。
なお、閉じているカバー４０を開ける際には、カバー４０を長手方向端部側へスライドさせて第１閉鎖位置に移動させることにより、カバー４０を開けることができる。
【００７４】
このように構成しても、前述した第１実施形態のソケットカバー２０Ａおよび照明器具１０ないし第３実施形態のソケットカバー２０Ｃと同様の作用、効果を得ることができる。
さらに、カバー４０の長手方向端部側の端部が蓋５７で完全に閉じられているので、外観を向上させるとともに、埃等の侵入を防止できる。
【００７５】
（第５実施形態）
次に、本発明に係る第５実施形態のソケットカバーおよび照明器具について説明する。
なお、前述した第１実施形態のソケットカバー２０Ａおよび照明器具１０ないし第４実施形態のソケットカバー２０Ｄと共通する部位には同じ符号を付して、重複する説明を省略することとする。
【００７６】
図２２、図２３（Ａ）ないし図２３（Ｃ）に示すように、本発明に係る第５実施形態のソケットカバー２０Ｅ（２０）では、台座３０の取付板３１Ｅの全体形状が、コの字形状を呈しており、ソケット１３を収容する開口部３１５が長手方向中央側に開口している。
取付板３１Ｅの長手方向端部側の端部は下方に折曲げられて、蓋５９が一体的に設けられている。蓋５９は、上部の矩形部分５９１と、下部の半円部分５９２を有する。
【００７７】
取付板３１Ｅ下面の左右両端部には、付勢手段として一対の本体部６１が設けられている。本体部６１は、孔部３２を形成する際に切起こして、くの字状に下方へ折曲げて形成することができる。本体部６２は、長手方向端部側（図２３（Ａ）中矢印Ｄ方向）へ弾性変形が可能となっている。
また、取付板３１Ｅの左右両端部における長手方向中央部分には、下方に折曲げられて一対の案内壁部３８が形成されている。案内壁部３８は、長手方向中央側に傾斜した略三角形状を呈しており、２本の曲線からなる長孔３８１を有する。長孔３８１の長手方向中央側の内面３８２の上端は切欠かれて軒部３８３が形成されている。
【００７８】
図２４（Ａ）ないし図２４（Ｃ）に示すように、カバー４０は、長手方向中央側に一対の爪部４３と、長手方向端部側に一対の爪部４９を有する。
爪部４９は、カバー４０の上端を折曲げて形成した基部４９１と、基部４９１の先端を下方に折曲げて形成したストッパ４９２を有する。ストッパ４９２は、長手方向中央側（図２４（Ａ）中矢印Ａ参照）に弾性変形可能となっている。
【００７９】
図２５（Ａ）ないし図２５（Ｃ）に示すように、台座３０にカバー４０を取り付けた状態では、取付板３１Ｅの本体部６１が、長手方向端部側に弾性変形した状態でカバー４０のストッパ４９２に当接する。
このため、カバー４０は、本体部６１およびストッパ４９２の反力により、長手方向中央側に付勢されている。
【００８０】
次に、図２６に基づいて、第５実施形態のソケットカバー２０Ｅの開閉動作について説明する。
図２２には、カバー４０が重力により垂れ下がって、ソケット１３が露出する開放位置が示されている（図５（Ａ）参照）。このとき、カバー４０の爪部４３は、長孔３８１の先端（下端）に当接するので、カバー４０は、これ以上開かない。
第１実施形態において説明したようにして、カバー４０を閉じると、第１閉鎖位置に達する（図５（Ｂ）参照）。
そして、取付板３１Ｅの本体部６１が、カバー４０のストッパ４９２を長手方向中央側へ付勢するので、カバー４０が長手方向中央側に押されて第２閉鎖位置に達する（図５（Ｃ）参照）。これにより、爪部４３は、軒部３８３、３４１に嵌入して係合される。
なお、閉じているカバー４０を開ける際には、カバー４０を長手方向端部側へスライドさせて第１閉鎖位置に移動させることにより、カバー４０を開けることができる。
【００８１】
このように構成しても、前述した第１実施形態のソケットカバー２０Ａおよび照明器具１０ないし第４実施形態のソケットカバー２０Ｄと同様の作用、効果を得ることができる。
【００８２】
（第６実施形態）
次に、本発明に係る第６実施形態のソケットカバーおよび照明器具について説明する。
なお、前述した第１実施形態のソケットカバー２０Ａおよび照明器具１０ないし第５実施形態のソケットカバー２０Ｅと共通する部位には同じ符号を付して、重複する説明を省略することとする。
【００８３】
図２７、図２８（Ａ）ないし図２８（Ｃ）に示すように、本発明に係る第６実施形態のソケットカバー２０Ｆ（２０）では、台座３０の取付板３１Ｆの全体形状が、コの字形状を呈しており、ソケット１３を収容する開口部３１５が長手方向中央側に開口している。
取付板３１Ｆの長手方向端部側の端部は下方に折曲げられて、蓋５９が一体的に設けられている。蓋５９は、上部の矩形部分５９１と、下部の半円部分５９２を有する。
【００８４】
取付板３１Ｆの左右両端部における長手方向中央部分には、下方に折曲げられて一対の案内壁部３３が形成されており、案内壁部３３の長手方向中央側の上端部が切欠かれて軒部３３５が形成されている。この軒部３３５は、カバー４０において長手方向中央側に設けられている爪部４３のためのものである。
案内壁部３３には長孔３３３が設けられており、長孔３３３の長手方向端部側の下部には傾斜面３３４が設けられている。
また、長孔３３３の長手方向端部側の上端部が切欠かれて、軒部３３６が形成されている。この軒部３３６は、カバー４０において長手方向端部側に設けられている爪部４３のためのものである。
【００８５】
図２９（Ａ）ないし図２９（Ｃ）に示すように、カバー４０は、長手方向中央側に一対の爪部４３と、長手方向端部側に一対の爪部４３を有する。
カバー４０の長手方向端部側の開口４５には、上側半分を覆うエンドプレート６２が設けられており、エンドプレート６２の内面６２１には、付勢手段である本体部６３が取り付けられている。
【００８６】
図３０（Ａ）ないし図３０（Ｃ）に示すように、台座３０にカバー４０を取り付けた状態では、カバー４０の本体部６３が、長手方向端部側に弾性変形した状態で取付板３１Ｆの蓋５９の外面に当接する。
このため、カバー４０は本体部６３の反力により長手方向端部側に付勢されており、カバー４０が長手方向端部側へ移動することにより、爪部４３が、台座３０の軒部３３５、３３６の上側に嵌入される。
【００８７】
次に、図３１に基づいて、第６実施形態のソケットカバー２０Ｆの開閉動作について説明する。
図２７には、カバー４０が重力により垂れ下がって、ソケット１３が露出する開放位置が示されている（図５（Ａ）参照）。このとき、カバー４０の爪部４３は、長孔３３３の傾斜面３３４（図２８（Ａ）参照）に当接するので、カバー４０は、これ以上開かない。
カバー４０を閉じると、爪部４３が長孔３３３の内端面３５に沿って移動し、第１閉鎖位置に達する（図５（Ｂ）参照）。
このとき、カバー４０の本体部６３が台座３０の蓋５９を長手方向中央側へ押す。蓋５９は台座３０と一体であるため移動せず、カバー４０は、本体部６３の反力により、長手方向端部側に押される。
これにより、爪部４３が長手方向端部側に移動して、軒部３３５、３３６に嵌入して係止されて第２閉鎖位置に達する（図５（Ｃ）参照）。
なお、閉じているカバー４０を開ける際には、カバー４０を長手方向中央側へスライドさせて第１閉鎖位置に移動させることにより、カバー４０を開けることができる。
【００８８】
このように構成しても、前述した第１実施形態のソケットカバー２０Ａおよび照明器具１０ないし第５実施形態のソケットカバー２０Ｅと同様の作用、効果を得ることができる。
さらに、カバー４０は開閉の際に長手方向中央側に移動するため、長手方向端部側のスペースが不要であり、照明器具１０の小型化を図ることができる。
【００８９】
本発明のソケットカバーおよび照明器具は、前述した各実施形態に限定されるものでなく、適宜な変形、改良等が可能である。
【符号の説明】
【００９０】
１０  照明器具
１２  器具本体（取付面）
１３  ソケット
１４  直管ランプ
１５  口金
１６  ピン
２０Ａ、２０Ｂ、２０Ｃ、２０Ｄ、２０Ｅ、２０Ｆ  ソケットカバー
３０  台座
３１Ａ、３１Ｂ、３１Ｃ、３１Ｄ、３１Ｅ、３１Ｆ  取付板（係合手段）
３２  孔部（係合手段）
３３  案内壁部（案内部材、板部材）
３３１、３３３、３８１  長孔
３３２、３３５、３３６、３４１  軒部（係合手段）
３４  案内壁部（板部材）
３５  内面（案内辺）
３６  台座固定部
３６１  係合壁部
３６２  突出部
４０  カバー
４１  半円筒部
４２  平板部
４３  爪部（係合手段）
４６  カバー固定部
４８  リブ
５０、５４、５５、５７、５９  蓋（付勢手段）
５１、５６、５８、６１、６３  本体部（付勢手段）
５２  脚部（付勢手段）
ＲＣ  回動軸線
【図１】
2014130783.tif 000003
【図２】
2014130783.tif 000004
【図３】
2014130783.tif 000005
【図４】
2014130783.tif 000006
【図５】
2014130783.tif 000007
【図６】
2014130783.tif 000008
【図７】
2014130783.tif 000009
【図８】
2014130783.tif 000010
【図９】
2014130783.tif 000011
【図１０】
2014130783.tif 000012
【図１１】
2014130783.tif 000013
【図１２】
2014130783.tif 000014
【図１３】
2014130783.tif 000015
【図１４】
2014130783.tif 000016
【図１５】
2014130783.tif 000017
【図１６】
2014130783.tif 000018
【図１７】
2014130783.tif 000019
【図１８】
2014130783.tif 000020
【図１９】
2014130783.tif 000021
【図２０】
2014130783.tif 000022
【図２１】
2014130783.tif 000023
【図２２】
2014130783.tif 000024
【図２３】
2014130783.tif 000025
【図２４】
2014130783.tif 000026
【図２５】
2014130783.tif 000027
【図２６】
2014130783.tif 000028
【図２７】
2014130783.tif 000029
【図２８】
2014130783.tif 000030
【図２９】
2014130783.tif 000031
【図３０】
2014130783.tif 000032
【図３１】
2014130783.tif 000033
【図３２】
2014130783.tif 000034